(57)【要約】  本発明は、主に、自動車の回転電気機械（２１）を制御するための方法に関し、自動車は、クラッチ（１３）を介して変速機（１２）に接続された熱エンジン（１１）を含む熱駆動チェーン（１０）を備え、前記電気機械は、熱駆動チェーン内または熱エンジンとは独立した駆動チェーンに組み込まれ、クラッチ（１３）が開いており、回転電気機械（２１）が、自動車の電気走行を確保するためにモーターモードで作動している時には、前記方法は、運転者の加速したい欲求に対応する設定値トルク（Ｔｃｏｎｓ）を生成するステップと、ドライブチェーン（１０）によって生成されたトルク振動（Ｔｏｓｃ）のパルス状補償トルク（Ｔｃｏｍｐ）を決定するステップと、結果として変更された設定値トルク（Ｔｃｏｎｓ’）を取得するために、設定値トルク（Ｔｃｏｎｓ）と先に決定されたパルス状補償トルク（Ｔｃｏｍｐ）を組み合わせるステップと、結果的に変更された設定値トルク（Ｔｃｏｎｓ’）を回転電気機械（２１）に適用するステップと、を含むことを特徴とする。
2021529126.tif 000002
【特許請求の範囲】
【請求項１】
自動車の回転電気機械（２１）を制御するための方法であって、前記自動車が、クラッチ（１３）を介して変速機（１２）に接続された熱エンジン（１１）を含む熱駆動チェーン（１０）を備え、前記回転電気機械が、前記熱駆動チェーン内、または前記熱エンジンとは独立した駆動チェーン内に組み込まれている、方法において、
前記クラッチ（１３）が開いており、前記回転電気機械（２１）が、前記自動車の電気走行を確保するためにモータモードで動作している時には、前記方法が、
運転者の加速したい欲求に対応する設定値トルク（Ｔｃｏｎｓ）を生成するステップと、
前記トラクションチェーン（１０）によって生成されたトルク振動（Ｔｏｓｃ）の補償のためのパルス状トルク（Ｔｃｏｍｐ）を決定するステップと、
結果的に変更された設定値トルク（Ｔｃｏｎｓ’）を取得するために、前記設定値トルク（Ｔｃｏｎｓ）、および先に決定された前記パルス状補償トルク（Ｔｃｏｍｐ）を組み合わせるステップと、
前記回転電気機械（２１）への前記結果的に変更された設定値トルク（Ｔｃｏｎｓ’）に適用するステップと、
を含むことを特徴とする方法。
【請求項２】
前記パルス状補償トルク（Ｔｃｏｍｐ）が、減速比、および前記トラクションチェーン（１０）の剛性（Ｋ）に依存することを特徴とする、請求項１に記載の方法。
【請求項３】
前記パルス状補償トルク（Ｔｃｏｍｐ）を決定するために、前記方法が、
速度信号（Ｗｍｅｌ）を取得するための、前記回転電気機械（２１）の回転速度を測定するステップと、
前記速度信号（Ｗｍｅｌ）の交番成分（Ｗｍｅｌ＿ａｃ）を抽出するステップと、
前記速度信号の前記交番成分（Ｗｍｅｌ＿ａｃ）へのゲイン（Ｇ）に適用するステップと、
を含むことを特徴とする、請求項１または２に記載の方法。
【請求項４】
前記速度信号の前記交番成分（Ｗｍｅｌ＿ａｃ）を抽出する前記ステップが、前記トルク振動（Ｔｏｓｃ）の周波数に対応する中心周波数（ｆ０）を有する帯域通過フィルタ（Ｆ＿ＰＢ）の前記速度信号（Ｗｍｅｌ）への適用によって実施されることを特徴とする、請求項３に記載の方法。
【請求項５】
前記ゲイン（Ｇ）が、必要とされる減衰率（Ｆａｍ）に依存することを特徴とする、請求項１から４のいずれか一項に記載の方法。
【請求項６】
前記減衰率（Ｆａｍ）が事前に決定されるか、または前記自動車の駆動モードに依存することを特徴とする、請求項５に記載の方法。
【請求項７】
前記パルス状補償トルク（Ｔｃｏｍｐ）が、前記トラクションチェーン（１０）の前記トルク振動（Ｔｏｓｃ）に対して逆位相で投入されることを特徴とする、請求項１から６のいずれか一項に記載の方法。
【請求項８】
前置フィルタ（Ｂ６）の適用による前記設定値トルク（Ｔｃｏｎｓ）におけるトルク変動の抑制の事前ステップを含むことを特徴とする、請求項１から７のいずれか一項に記載の方法。
【請求項９】
前記前置フィルタが、ランプ、またはＮ次のフィルタであることを特徴とする、請求項８に記載の方法。
【請求項１０】
請求項１から９のいずれか一項に記載の方法の実施のためのソフトウェア命令を記憶するメモリを備えることを特徴とする、回転電気機械（２１）の制御モジュール（２２）。
【発明の詳細な説明】
【技術分野】
【０００１】
本発明は、自動車のトラクションチェーンのトルク振動を補償するために回転電気機械を制御するための方法に関する。
【背景技術】
【０００２】
周知の方法において、自動車のトラクションチェーンは、クラッチを介して変速機に結合された熱エンジンを含む。変速機の出力における駆動シャフトは、差動歯車およびユニバーサルジョイントを介して車輪に機械的に接続されている。
【０００３】
変速機に結合された可逆電気機械を用いることが知られている。このハイブリッドシステムは、車両が、電気機械および熱エンジンを、組み合わせられた方法で、または独立して関連付ける複数の機能を用いることを可能にする。それゆえ、特に、電気機械は、単独で、または熱エンジンと組み合わせて、車両の牽引を確保するためにモータモードで動作することができる。電気機械はまた、熱エンジンの始動を確保することもできる。この機械はまた、特に、回収制動局面の間には、車両のバッテリにエネルギーを供給するために、発電機モードで動作することもできる。
【０００４】
純粋電気走行の局面の間には、熱エンジンは切られ、クラッチの開放によって動力伝達機構の残りの部分から切り離される。次に、電気機械が指令され、変速機の比のうちの１つを介してトルクを車輪に供給する。
【０００５】
運動力学チェーンの、主に、駆動シャフトおよびユニバーサルジョイントのねじり剛性の結果として、トルク振動が、高い設定値を有するトルク勾配において車両の相当の震えと複合されて観察される。実際に、集合体は、共振周波数が、係合された変速機の速度に依存する、質量−ばね型のシステムとして振る舞う。
【発明の概要】
【発明が解決しようとする課題】
【０００６】
本出願によれば、係合された変速機（第１、第２、第３等）、およびこれらのギアの各々に対応する減速比（３．３、１．９、１．３等）が参照される。係合された最小のギアが最大の減速比をもたらす。
【課題を解決するための手段】
【０００７】
本発明の目的は、自動車トラクションチェーン内に組み込まれた回転電気機械を制御するための方法であって、前記トラクションチェーンが、クラッチを介して変速機に接続された熱エンジンを含み、前記回転電気機械が変速機に結合されている、方法において、
クラッチが開いており、回転電気機械が、自動車の電気走行を確保するためにモータモードで動作している時には、前記方法が、
−  運転者の加速したい欲求に対応する設定値トルクを生成するステップと、
−  トラクションチェーンによって生成されたトルク振動の補償のためのパルス状トルクを決定するステップと、
−  結果的に変更された設定値トルクを取得するための、設定値トルク、および先に決定されたパルス状補償トルクを組み合わせるステップと、
−  回転電気機械への結果的に変更された設定値トルクに適用するステップと、
を含むことを特徴とする方法を提案することによって、この不利点を効率的に解消することである。
【０００８】
したがって、本発明は、電気モードにおける自動車の走行の間のトルク振動を低減するか、またはさらには、それを解消し、したがって、乗員の快適性を向上させることを可能にする。本発明は、少なくとも部分的にソフトウェア実装形態を用いて実施され得るため、本発明はまた、経済性をも有する。本発明は治療的な役割を有する。
【０００９】
減じられるべき振動は、特に、エンジンが駆動チェーンの残りの部分に接続された時にエンジン内にもたらされる内部摩擦に関連付けられる、熱エンジンに由来する自然減衰の不足から生じる。これらの振動は、熱エンジンに関連付けられる振動とは非常に異なる振幅および周波数を有する。
【００１０】
電気機械は、車両の車輪へのトルクの伝達の方向のクラッチから下流のいわゆる熱駆動チェーン内に組み込まれ得る。電気機械はクラッチと変速機との間に組み込まれ得る。電気機械は変速機内に組み込まれ得る。特に、電気機械は位置２，５において接続され得る。それゆえ、機械は変速機の偶数比または奇数比のいずれかに接続される。電気機械は変速機と車両の車輪との間に組み込まれ得る。
【００１１】
一変形例として、機械は、熱駆動チェーン以外の駆動チェーン内、例えば、車両の車輪内に組み込まれ得るか、またはそれは、熱駆動チェーンに接続されていない車軸に取り付けられ得る。
【００１２】
一実施形態によれば、パルス状補償トルクは、減速比、およびトラクションチェーンの剛性に依存する。具体的には、パルス状補償トルクの振幅および位相が依存し、これが、補償をより正確に調整することを可能にする。
【００１３】
一実施形態によれば、パルス状補償トルクを決定するために、本方法は、
−  速度信号を取得するための、回転電気機械の回転速度を測定するステップと、
−  速度信号の交番成分を抽出するステップと、
−  速度信号の交番成分へのゲインに適用するステップと、
を含む。
【００１４】
一実施形態によれば、速度信号の交番成分を抽出するステップは、トルク振動の周波数に対応する中心周波数を有する帯域通過フィルタの速度信号への適用によって実施される。中心周波数は５〜１３Ｈｚに含まれ得る。フィルタの周波数は、係合されたギア比に依存し得る。フィルタの中心周波数は、トルク振動の周波数を中心に±１５％の値の範囲内に含まれ得る。
【００１５】
一実施形態によれば、ゲインは、必要とされる減衰率に依存する。
【００１６】
一実施形態によれば、減衰率は事前に決定されるか、または自動車の駆動モードに依存する。減衰率は０．２５〜０．７に含まれ得る。
【００１７】
一実施形態によれば、パルス状補償トルクはトラクションチェーンのトルク振動に対して逆位相で投入される。
【００１８】
一実施形態によれば、前記方法は、前置フィルタの適用による設定値トルクにおけるトルク変動の抑制の事前ステップを含む。この前置フィルタは、減じられるべきトルク振動がさほど目立たなくなり、それゆえ、補償することがさほど難しくなくなるため、予防的役割を有する。
【００１９】
この前置フィルタは、連続成分を遮断するなどし、および／または高周波数遮断するなどし、電気機械内の伝達チェーンの剛性に関連付けられる周波数の通過を可能にするように定義される。
【００２０】
一実施形態によれば、前置フィルタはランプ（ｒａｍｐ）である。
【００２１】
一実施形態によれば、前置フィルタは、Ｎ次、特に、２次、特に、３次のフィルタである。
【００２２】
一実施形態によれば、変速機は手動変速機またはＤＣＴ変速機であることができる。
【００２３】
本発明の一実施形態によれば、本補償方法は車両のユーザによって作動および作動停止させられ得る。
【００２４】
本発明はまた、先に定義された方法の実施のためのソフトウェア命令を記憶するメモリを備えることを特徴とする、回転電気機械の制御モジュールに関する。
【００２５】
本発明は、以下の説明を読み、それに付随する図を精査することによってより深く理解されるであろう。これらの図は純粋に例示として提供されており、決して本発明を限定するものではない。
【図面の簡単な説明】
【００２６】
【図１】電気機械によるトルク振動の補償のための本発明に係る方法を実施する自動車トラクションチェーンの概略図である。
【図２】電気機械と変速機との結合の詳細な概略図である。
【図３】トラクションチェーンによって発生されるトルク振動の補償のための本発明に係る方法の実施のために制御モジュールにおいて実装される機能ブロックの図である。
【図４ａ】それぞれ、本発明に係る方法を実施した場合と、実施しない場合に得られた、設定値トルク、車輪上のトルク、車輪の回転速度、および電気機械の回転速度の、時間に基づくグラフ表示である。
【図４ｂ】それぞれ、本発明に係る方法を実施した場合と、実施しない場合に得られた、設定値トルク、車輪上のトルク、車輪の回転速度、および電気機械の回転速度の、時間に基づくグラフ表示である。
【図５】設定値遮断のための事前の予防的フィルタリング・ステップを含む本発明に係る方法の変形例の実施形態を示す図である。
【図６ａ】それぞれ、ランプ型のフィルタおよび１次のフィルタが設定値トルクに適用された、車輪上のトルク・ピークの減衰を示すグラフ表示である。
【図６ｂ】それぞれ、ランプ型のフィルタおよび１次のフィルタが設定値トルクに適用された、車輪上のトルク・ピークの減衰を示すグラフ表示である。
【発明を実施するための形態】
【００２７】
同一であるか、同様であるか、または類似した要素は図ごとに同じ符号を保持している。
【００２８】
図１は、クラッチ１３を介して変速機１２に結合された熱エンジン１１を備える自動車のトラクションチェーン１０を示す。変速機１２の出力駆動シャフト１５が差動歯車１８およびユニバーサルジョイント２０を介して車輪１６に機械的に接続されている。
【００２９】
可逆電気機械２１が変速機１２に結合されている。このハイブリッドシステムは、車両が、電気機械２１および熱エンジン１１を、組み合わせられた方法で、または独立して関連付ける複数の機能を用いることを可能にする。それゆえ、電気機械２１は、単独で、または熱エンジン１１と組み合わせて、車両の牽引を確保するためにモータモードで動作することができる。クラッチ１３は、車両の電気走行の局面の間は開いており、車両の熱走行の局面の間は閉じている。電気機械２１はまた、熱エンジン１１の始動を確保することもできる。この機械２１はまた、特に、回収制動局面の間に、車両のバッテリにエネルギーを供給するために、発電機モードで動作することもできる。
【００３０】
電気機械２１は、有利には、動作電圧４８Ｖを有する電気ネットワークに接続された同期二重三相型の機械である。電気機械２１は１５ｋＷ〜２５ｋＷの電力を有することができ、特に、その長さに応じて、５５Ｎｍ〜８０Ｎｍに含まれるトルクを供給することができる。
【００３１】
図２は、電気機械２１と、複数のギア比Ｒ１〜Ｒｎを含む変速機１２との結合の一例を示す。図示された例では、比の数ｎは７であるが、これは適用物に応じて適合させられ得ることは理解されるであろう。第１のシャフト２３が奇数ギア比に関連付けられており、第２のシャフト２４が偶数ギア比に関連付けられている。ダブル・クラッチ・システム１３は、係合された比に従って、これらのシャフト２３、２４を交代で接続するか、またはそれらを解放することを可能にする。回転電気機械２１は減速機２５を介して変速機１２に結合される。電気機械２１は、この場合には、第２のシャフト２４に結合されている。電気機械２１は、変速機１２の内部内に埋め込まれてもよく、または外部にあってもよい。
【００３２】
図３を参照して、自動車の牽引を確保するために、電気走行の局面の間の、すなわち、クラッチ１３が開いており、回転電気機械２１がモータモードで動作している時の、トラクションチェーン１０によって発生されるトルクのうねりの補償のための方法の実施を可能にする様々な機能ブロックの説明が以下において与えられる。様々な機能ブロックは、回転電気機械２１の制御モジュール２２のメモリ内に記憶されたソフトウェア命令の形を取ることができる。
【００３３】
より具体的には、ブロックＢ１は、特に、車両のアクセル・ペダルを押し込むことによって規定される、運転者の加速したい欲求に対応する設定値トルクＴｃｏｎｓを発生する。
【００３４】
機能ブロックのセットＥが、トラクションチェーン１０によって発生されるトルク振動Ｔｏｓｃを補償するために、パルス状補償トルクＴｃｏｍｐを決定する。ブロックＢ２は、結果的に変更された設定値トルクＴｃｏｎｓ’を取得するために、設定値トルクＴｃｏｎｓ、および先に決定されたパルス状補償トルクＴｃｏｍｐを複合する。次に、結果的に変更された設定値トルクＴｃｏｎｓ’が回転電気機械２１に、およびそれゆえ、トラクションチェーン１０に適用される。
【００３５】
パルス状補償トルクＴｃｏｍｐを決定するために、ブロックＢ３を介して、電気機械２１の回転速度が速度センサ２７を用いて測定される。ブロックＢ３の出力において、これは、したがって、速度信号Ｗｍｅｌを提供する。速度センサ２７は、例えば、ホール効果センサである。
【００３６】
次に、速度信号の交番成分Ｗｍｅｌ＿ａｃが、ブロックＢ４を介して帯域通過フィルタＦ＿ＰＢの適用によって抽出される。この帯域通過フィルタＦ＿ＰＢは、トルク振動Ｔｏｓｃの周波数に対応する中心周波数ｆ０を有する。フィルタの中心周波数ｆ０は、係合された速度比Ｒｘ、およびトラクションチェーン１０の剛性Ｋに依存する。中心周波数ｆ０は、例えば、エンジン・コンピュータによって通信された、係合された変速機比Ｒｘを入力として受信するカートグラフィを用いて取得され得る。
【００３７】
次に、ブロックＢ５がゲインＧを、フィルタリングされた速度信号Ｗｍｅｌ＿ａｃに適用する。ゲインＧは、必要とされる減衰率Ｆａｍに依存する。減衰率Ｆａｍは事前に決定されるか、または自動車の駆動モードに依存する。減衰率Ｆａｍが大きいほど、トルク振動Ｔｏｓｃの減衰期間は短い。
【００３８】
パルス状補償トルクＴｃｏｍｐがブロックＢ２によってトラクションチェーン１０のトルク振動Ｔｏｓｃに対して逆位相で投入される。
【００３９】
図４ａは、本発明に係る方法を実施しない場合に得られた、設定値トルクＴｃｏｎｓ、車輪上のトルクＴｒ、車輪の回転速度Ｗｒ、および電気機械の回転速度Ｗｍｅｌの、時間に基づくグラフ表示である。
【００４０】
図４ｂは、本発明に係る方法を実施した場合に得られた、設定値トルクＴｃｏｎｓ、パルス状補償トルクＴｃｏｍｐを組み込んだ結果的に変更された設定値トルクＴｃｏｎｓ’、車輪上のトルクＴｒ、車輪の回転速度Ｗｒ、および電気機械の回転速度Ｗｍｅｌの、時間に基づくグラフ表示である。
【００４１】
パルス状補償トルクＴｃｏｍｐを設定値トルクＴｃｏｎｓ内に組み込む、本発明の実施のおかげで、車輪上のトルクのうねりＴｒが減じられていることが分かる。
【００４２】
図５における実施形態では、本方法は、ブロックＢ６を介した前置フィルタの適用による設定値トルクＴｃｏｎｓにおけるトルク変動の抑制の事前ステップを含む。
【００４３】
図６ａによって示されるように、前置フィルタは、フィルタリングされた設定値トルクＴｃｏｎｓ＿ｆを得ることを可能にするランプであることができる。瞬間的トルク変動の抑制は、車輪上のトルクＴｒのピーク値をおよそ２０〜２５％だけ低減することを可能にする。
【００４４】
図６ｂによって示されるように、前置フィルタは、フィルタリングされた設定値トルクＴｃｏｎｓ＿ｆ内に勾配を導入するとともに、設定値段の「離陸」時に、すなわち、最初に、および「着陸」時に、すなわち、最後に、水平接線を導入し、それゆえ、ランプ型前置フィルタと比べて車輪上のトルクＴｒの振動をさらに１０％低減する、１次のフィルタであることができる。
【００４５】
より一般的には、前置フィルタはＮ次のフィルタであることができる。フィルタの次数Ｎが高いほど、トラクションチェーン１０の自らのモードは応力を受けなくなる。
【００４６】
上述の説明は純粋に例として与えられたものであり、本発明の技術分野を限定するものでなく、様々な要素をいかなる他の同等物で置換してもそれからの逸脱は構成されないことは理解されるであろう。
【００４７】
加えて、本発明の異なる特徴、変形例、および／または実施形態は、それらが非両立的または相互排他的でないことを所与として、異なる組み合わせに従って互いに関連付けられ得る。
【図１】
2021529126.tif 000003
【図２】
2021529126.tif 000004
【図３】
2021529126.tif 000005
【図４ａ】
2021529126.tif 000006
【図４ｂ】
2021529126.tif 000007
【図５】
2021529126.tif 000008
【図６ａ】
2021529126.tif 000009
【図６ｂ】
2021529126.tif 000010
【国際調査報告】
2021529126.tif 000011
2021529126.tif 000012
2021529126.tif 000013
2021529126.tif 000014